(57)【要約】【課題】幼児を抱いた時、幼児をおんぶした時にも、幼児との間に違和感が生ぜず、かつ、長時間断熱効果を維持し、かつ、湿気の上昇を防止できること。【解決手段】フロント生地と、フロント生地に対向する反対側に位置するバック生地と、フロント生地とバック生地との間に織り込まれ、両者間の空気層の厚みを形成する連結糸からなる特定の厚みを有する織布本体１０と、織布本体１０の全外周をパイピング処理したパイピング１７と、織布本体１０の上部のパイピング処理したパイピング１７に一端を縫い付け、その中央の下部のパイピング１７に他端を縫い付けた所定長の紐状体２１,２２を有する。【選択図】図６
2012110417.tif 000002
【特許請求の範囲】
【請求項１】
フロント側に位置するフロント生地と、前記フロント生地に対向する反対側に位置するバック側のバック生地と、前記フロント生地と前記バック生地との間に織り込まれ、両者間の通気性を有する空気層の厚みを形成する連結糸からなる特定の厚みを有する織布本体と、
前記特定の厚みを有する織布本体の全外周をパイピング処理により縁飾りとしたパイピングと、
前記織布本体の上部のパイピングに一方の端を縫い付け、その中央の下部のパイピングに他方の端を縫い付けた所定長の紐状体と
を具備することを特徴とする母子間緩衝パット。
【請求項２】
前記紐状体は、平ゴムまたはベルトとしたことを特徴とする請求項１に記載の母子間緩衝パット。
【請求項３】
前記織布本体は、一方の面の１／３〜３／３の面を他の生地で覆い、前記織布本体の全外周と共に前記生地をパイピング処理したことを特徴とする請求項１または請求項２に記載の母子間緩衝パット。
【請求項４】
前記織布本体は、表裏が所定のネットで形成されていることを特徴とする請求項１乃至請求項３のいずれか１つに記載の母子間緩衝パット。
【請求項５】
前記織布本体は、その上部中央が下方向に彎曲した彎曲部を有していることを特徴とする請求項１乃至請求項４のいずれか１つに記載の母子間緩衝パット。
【発明の詳細な説明】
【技術分野】
【０００１】
本発明は、幼児を背負ったり、抱いたりしたとき、幼児とその母親との間に取り付け、互いの熱の伝わりを遮断し、かつ、両者間に発生するむれ等の湿気を防止できる母子間緩衝パットに関するものである。
【背景技術】
【０００２】
日本に古くからある荷物を負うときに背に当てて用いる長方形の枠の背負子は、藁をなって作られる縄が背中の位置にくるようになっており、負荷の加わる背中側の通気性を確保している。また、リュックサック、ランドセルに取り付けるような通気性の良い背中当ては、特許文献１、特許文献２、特許文献３で公知である。しかし、これを母子間緩衝パットに使用できる程度の技術思想の開示はない。
また、子供を負うときに使用するもの、抱くときに使用するものとしては、特許文献４が公知である。
【先行技術文献】
【特許文献】
【０００３】
【特許文献１】特開平１０−１４６５７号公報
【特許文献２】特開平１０−３３２６０号公報
【特許文献３】特開平１１−８９６３５号公報
【特許文献４】特開２００６−２８７１８号公報
【発明の概要】
【発明が解決しようとする課題】
【０００４】
特許文献４のむれ防止パットによれば、母親の体と子供の体との間にむれ防止パットを介在させておんぶや抱っこをすると、スパイラルチューブによる突起のため、母親の体と子供の体の間の接触面積が減って隙間ができ、スパイラルチューブ間及びスパイラルチューブ内に空気の通り道ができ、空気がスムーズに流れる。また、スパイラルチューブの内側と外側との間も空気が流れやすくなる。
しかも、スパイラルチューブ間を繋ぎ、かつ、各スパイラルチューブを覆っている吸湿性の布地によって母親の体や子供の体から発汗した汗は速やかに吸収される。そのため、暑さやむれは著しく軽減され、汗疹の発生が防止できる。また、スパイラルチューブが露出しないで布地で覆われているため、スパイラルチューブのゴツゴツ感が防げ、違和感が解消される。また、特許文献４のむれ防止パットは、スパイラルチューブが布地と一体になっているが、そのスパイラルチューブが伸縮性、柔軟性に富むため、全体として布地が変形自在となり、子供をおんぶしながら家事等の種々の動作に柔軟に対応することができ、また、柔軟性があるので体にフィットしやすくなる。さらに、携帯等のためにコンパクトに折り畳んだり、まるめたりすることができる。
【０００５】
しかし、特許文献４は、長尺の線材或いは板材がつる巻バネ状に巻回され、軸方向に隣接する螺旋部の間に間隔が設けられてなるスパイラルチューブが相互に平行に一定間隔で離間するようにし、それらが吸湿性の布地によって連結され、かつ、各スパイラルチューブの周囲がその布地で覆われて、柔軟性や吸湿性を持たせているので、幼児をおんぶしたり、抱っこしたりするときに母親と幼児とが密着し、母親と幼児の間の部分的な違和感は拭えなかった。また、柔軟性や吸湿性を持たせた布地で各スパイラルチューブの周囲が覆われているので、母親の体や子供の体から発汗した汗は、速やかに吸収され、暑さやむれは著しく軽減され、汗疹の発生が防止されるかの如く推定されるが、現実には、柔軟性や吸湿性を持たせた布地が汗を吸収すると通気性がなくなり、発汗対策、暑さ及びむれ対策、汗疹対策にはなっていなかった。
【０００６】
そこで、幼児を抱いた時、幼児をおんぶした時にも、幼児との間に違和感が生ぜず、かつ、長時間断熱効果を維持し、かつ、湿気の上昇を防止できる母子間緩衝パットの提供を課題とするものである。
【課題を解決するための手段】
【０００７】
請求項１の発明にかかる母子間緩衝パットは、フロント生地とバック生地との間に織り込まれ、両者間の通気性のある空気層の厚みを形成する連結糸からなる特定の厚みを有する立体編物からなる織布本体と、前記織布本体の全外周をパイピング処理したパイピングからなる縁飾りと、前記織布本体の上部のパイピング処理した縁飾りに端部を縫い付け、その上下の中央のパイピング処理した縁飾りにも端部を縫い付けた所定長のベルト、肩紐、平ゴム等の紐状体を具備するものである。
ここで、フロント側に位置するフロント生地とは、通常所定の柔軟性に富む糸等を用いて格子状に結びつけて編み込まれたネット（メッシュ）の生地を使用し、前記フロント生地に対向する反対側に位置するバック側のバック生地も、同様に、所定のネットの生地を使用される。このフロント生地とバック生地は同じネットの大きさであっても、一方のみが異なっていてもよい。或いは、フロント生地及び／またはバック生地はネットに代えて、多少織目の粗い、即ち、通気性のある密度の高くない生地としてもよい。
また、上記フロント生地と前記バック生地との間に織り込まれ、両者間の空気層の厚みを形成する連結糸は、前記フロント生地と前記バック生地との間に空気層とする空間を形成する糸であり、譬え空間が変形しても、空間が回復する弾性を有する糸であればよい。勿論、通常状態で、連結糸が彎曲しており、外力によってその彎曲の曲率が変化するようにするのが望ましい。
そして、上記織布本体のこれら前記フロント生地と前記バック生地及び連結糸は、その糸の数及び糸種、色彩を特別限定するものではない。
更に、上記特定の厚みを有する織布本体の全外周をパイピング処理したパイピングからなる縁飾りは、織布本体の厚みが厚いから、その全外周をパイピング処理することにより、ほつれ等の発生を防止し、他の部材の離れ難い縫い付けを自在とするものである。
更にまた、上記所定長の紐状体は、織布本体の上部のパイピング処理した縁飾りに一端を、その中央の下部のパイピング処理した縁飾りに一端を縫い付けたもので、その間にバックル接続具を有するか、または有しない２本の紐またはベルト、１本の平ゴムまたは丸ゴム等とすることができる。
【０００８】
請求項２の発明にかかる母子間緩衝パットの前記紐状体は、平ゴムまたはベルトとしたものである。この平ゴムは幅３〜１０ｃｍ程度のものの使用が好適である。ベルトはバックル接続具等が自由端に接続されたものである。
【０００９】
請求項３の発明にかかる母子間緩衝パットの前記織布本体は、一方の面の１／３〜３／３の面を例えば、他のソフト感があるまたは吸湿性のある生地で覆い、前記織布本体の全外周と共に前記他の生地を同時にパイピング処理したものである。
このように、前記織布本体の一方の面の１／３〜３／３の面を他の生地で覆うことにより、空気の対流を阻止し、母子間の断熱効果を上げることができる。
【００１０】
請求項４の発明にかかる母子間緩衝パットの前記織布本体は、表裏が所定のネットで形成されているものである。
ここで表裏が所定のネットとは、約１〜１００ｍｍ2範囲内で使用されるが、３００ｍｍ2以上となっても、前記フロント生地と前記バック生地と連結糸等の弾性につては対応が可能であり、また、他の生地で覆う場合には、ネットが比較的大きくてもよい。
【００１１】
請求項５の発明にかかる母子間緩衝パットの前記織布本体は、その上部中央が下方向に彎曲した部分を有しているものである。
この上部中央が下方向に彎曲した部分とは、中央が約５〜２０ｃｍの範囲内で彎曲しているのが望ましい。ここで、上部中央が下方向に彎曲した部分とは、極端な角を有しないＶ字状のカットも含まれる。
【発明の効果】
【００１２】
請求項１の発明は、フロント側に位置するフロント生地と前記フロント生地に対向する反対側に位置するバック側のバック生地との間に織り込まれ、両者間の通気性のある空気層の厚みを形成する連結糸からなる特定の厚みを有する立体編物からなる織布本体と、前記特定の厚みを有する織布本体の全外周をパイピング処理してなるパイピングからなる縁飾りと、前記織布本体の上部のパイピング処理した縁飾りに所定長の紐状体の一端を縫い付け、その中央の下部のパイピング処理した縁飾りに所定長の紐状体の一端を縫い付けたものである。
したがって、織布本体が全体で通気性のある空気層を保ち、フロント生地とバック生地との間に織り込まれた連結糸によって空気層内で対流を生じさせないので、断熱効果が高く、かつ、容積が大きいことから、長時間断熱作用を維持できる。また、汗等の湿気の発生に対しても、その湿気を収容できる容積を有しているから、幼児を抱いた時、幼児をおんぶした時にも、ベトベト感が生じない。そればかりか、母親の動き及び幼児の動きは、織布本体の体積変化となって、織布本体の保持している高い温度の空気及び高い湿度の空気を排出し、外部から湿度の低い、気温の低い空気を導入するから、母親の体や子供の体から発汗した汗は、速やかに織布本体に吸収され、暑さやむれは著しく軽減され、汗疹の発生が防止され、発汗対策、暑さ及びむれ対策、汗疹対策になる。また、幼児を抱いている時、おんぶしている時に体形が変化しても、織布本体の追随変化によって違和感がない。また、母親の衣類に幼児の体温によって生じる皺が入るのを防止できる。
よって、幼児を抱いた時、幼児をおんぶした時にも、幼児との間に違和感が生ぜず、かつ、長時間断熱効果が維持され、かつ、湿気の上昇を防止できる。
【００１３】
請求項２の発明の前記紐状体は、平ゴムとしたものであるから、請求項１に記載の効果に加えて、幼児を抱いたり、おんぶしたりする母親の体形に従って取り付け状態が追随維持でき、かつ、母子間緩衝パットの織布本体の状態変化によって、その体積変化が生じて、母親の動き及び幼児の動きは、織布本体の体積変化となって、織布本体の保持している高い温度の空気及び高い湿度の空気を排出し、外部から湿度の低い、気温の低い空気を導入し易くなる。また、ベルトとしたものも、請求項１に記載の効果に加えて、母子間緩衝パットの織布本体の状態変化によって、その体積変化が生じて、母親の動き及び幼児の動きは、織布本体の体積変化となって、織布本体の保持している高い温度の空気及び高い湿度の空気を排出し、外部から湿度の低い、気温の低い空気を導入し易くなる。そして、何れも取付けが容易である。
【００１４】
請求項３の発明の前記織布本体は、一方の面の１／３〜３／３の面を他の生地、例えば、ソフトウエア感のある生地または吸湿性のある生地で覆い、前記織布本体の全外周と共に当該生地をパイピング処理したものであるから、請求項１または請求項２の効果に加えて、幼児または母親の肌触り感を任意に設定することができ、かつ、断熱性をよくすることができる。また、幼児が触れる面のソフト感を出すことができる。また、一方の面の１／３〜３／３の面を他の生地としても、他の部分が通気性を有しているから、性能を低下させることがない。特に、裏面が新鮮な空気の空気層となるので、吸湿性の生地であっても特性が長時間維持される。
【００１５】
請求項４の発明の前記織布本体は、表裏が所定のネットで形成されているから、請求項１乃至請求項３のいずれか１つに記載の効果に加えて、幼児を抱いたり、おんぶしたりする親の体形、動作に従って空気の出入りを決定する流体抵抗を任意に設定できる。また、表裏のデザインを任意の形状とすることができる。
【００１６】
請求項５の発明の前記織布本体は、その上部中央が下方向に彎曲した部分を有しているから、請求項１乃至請求項４のいずれか１つに記載の効果に加えて、母子間緩衝パットの前側の中央を下方に彎曲させているから、母子間緩衝パットを取り付けた親の胸元またはうなじ等の襟首から母子間緩衝パットの一部が露出しないから、親の着衣のデザインを拘束するものがない。
【図面の簡単な説明】
【００１７】
【図１】図１は本発明の実施の形態１及び２にかかる母子間緩衝パットを構成する織布本体の全体説明図である。
【図２】図２は本発明の実施の形態１にかかる母子間緩衝パットを構成する織布本体のダブルラッシェル機による製造工程の原理図である。
【図３】図３は本発明の実施の形態１にかかる母子間緩衝パットを構成する織布本体のダブルラッシェル機による単列の筬により案内する連結糸の事例の説明図である。
【図４】図４は本発明の実施の形態１にかかる母子間緩衝パットを構成する織布本体のダブルラッシェル機による複数列の筬により案内する連結糸の事例の説明図である。
【図５】図５は本発明の実施の形態１にかかる母子間緩衝パットを構成する織布本体のダブルラッシェル機による複数列の筬により案内する連結糸の事例の要部説明図である。
【図６】図６は本発明の実施の形態１にかかる母子間緩衝パットの全体表面構成を示す平面図である。
【図７】図７は本発明の実施の形態１にかかる母子間緩衝パットの全体裏面構成を示す裏面図である。
【図８】図８は本発明の実施の形態１にかかる母子間緩衝パットの使用状態を示す斜視図である。
【図９】図９は本発明の実施の形態２にかかる母子間緩衝パットの全体表面構成を示す平面図である。
【図１０】図１０は本発明の実施の形態３にかかる母子間緩衝パットの全体表面構成を示す平面図である。
【発明を実施するための形態】
【００１８】
以下、本発明の実施の形態について、図１乃至図１０を用いて説明する。なお、図中、実施の形態において同一記号及び同一符号は、同一または相当する部分であるから、ここでは重複する説明を省略する。
【００１９】
［実施の形態１］
まず、本発明の実施の形態について、図１乃至図８を用いて説明する。
図１に示されるように、本実施の形態にかかる所定の厚みを有する織布製造機としてのダブルラッシェル機によって織った織布本体１０は、片面が所定の開口の網目のフロント生地１で、反対側の面も所定の開口の網目のバック生地２である。織布本体１０の端面に見える連結糸３は、フロント生地１とバック生地２との間隔を設定する。本実施の形態にかかる対向するフロント側に位置するフロント生地１またはバック側に位置するバック生地２は、必要に応じて任意に網目、網模様が決定できる。なお、ここで、フロント生地１、バック生地２とは、説明を平易にするものであり、前側がフロント生地１、後側がバック生地２に特定されるものではない。
【００２０】
なお、本実施の形態にかかる特定の厚みを有する織布本体１０の製造には織布製造機としてのダブルラッシェル機を利用しているが、トリコット機でも実施可能である。また、既成の織機においても、その改良により実現できる。特に、本実施の形態の内容は、特許文献の特開２００１−１２３３６１号公報、特開２００３−０１３３４６号公報、特開２００３−１７１８５８号公報、特開２００５−２４９０号公報等で説明されているように、織布製造機の市販によって当業者にとって周知になっている。また、立体編物の商品も特許第３９４３０１１号、特許第４００１８９０号等に基づき旭化成株式会社から「フュージョン（商標名）」、また、帝人興産から「エアクィーン（商標名）」等として販売されており公知である。
【００２１】
念のためダブルラッシェル機による立体編物からなる織布本体１０の織り方について簡単に説明する。
図２において、フロント生地１を織る前側ニードル列Ｆ、バック生地２を織る後側ニードル列Ｂ、それらフロント生地１のニードル列Ｆ及びバック生地２のニードル列Ｂに対し経糸（たて糸）の位置を整え、緯糸（よこ糸）を打ち込むのに用いる地筬（さお）Ｐ１〜Ｐ６が織機のフロント側より後部側に向かって順次配列（図はそれに従って番号を付与している）されている。地糸Ｙ１及び地糸Ｙ５は、フロント生地１の織り込み用で、地糸Ｙ５は地筬Ｐ５に、地糸Ｙ１は地筬Ｐ１に各々総詰めで配糸されている。地糸Ｙ２及び地糸Ｙ６はバック生地２の織り込み用であり、地糸Ｙ２は地筬Ｐ２に、地糸Ｙ６は地筬Ｐ６に各々総詰めで配糸されている。連結糸３（Ｙ３，Ｙ４）はフロント生地１及びバック生地２を連結してなり、連結糸Ｙ３は地筬Ｐ３に、連結糸Ｙ４は地筬Ｐ４に各々総詰めで配糸されている。
【００２２】
次に、立体的織物の織布本体１０の具体的な織り方に基づいて説明する。
まず、連結糸を単列の筬によって案内する図３の説明図において、地筬Ｐ３を前側ニードル列Ｆにのみをオーバラッピングさせることでフロント生地１の編目を織る編成コースＫ１と、地筬Ｐ５の前側ニードル列Ｆにのみのオーバラッピングさせることにより形成される地糸Ｙ５による鎖編（図５におけるＹ5a）と、地筬Ｐ２の後側ニードル列Ｂにのみオーバラッピングすることにより形成される地糸Ｙ２による鎖編（図５におけるＹ2a）の各々の編目Ｙ5aまたは編目Ｙ2aに止着され、フロント生地１及びバック生地２の形態で織られる編成コースＫ２の繰り返しによって、フロント生地１に形成される編目Ｙ2aと、フロント生地１中に挿入して織り込まれる編成コースＫ２の部分によって網目等の柄が形成される。
【００２３】
また、連結糸を複数列の筬より案内する説明図の図４において、地筬Ｐ３が前側ニードル列Ｆにのみオーバラッピングする編成コースＫ１のとき、地筬Ｐ４は前側ニードル列Ｆ及び後側ニードル列Ｂへのオーバラッピングはさせず、前述の事例と同様、フロント生地１及びバック生地２に挿入の形態で編成される。次の編成コースＫ２では、逆に編成コースＫ２のとき、地筬Ｐ３はフロント生地１及びバック生地２に挿入の形態で編成され、地筬Ｐ４は前側ニードル列Ｆにのみオーバラッピングする。これによってバック生地２には編成コースＫ１では地筬Ｐ３によって編成される連結糸Ｙ３が編目Ｙ3aとなり、編成コースＫ２では地筬Ｐ４によって編成される連結糸Ｙ４が編目Ｙ4aとなる。この結果、編成コースＫ１においては連結糸Ｙ３からなる編目Ｙ3a、また、編成コースＫ２においては連結糸Ｙ４からなる編目Ｙ4aによる立体成形物となる。勿論、連結糸Ｙ３、連結糸Ｙ４の色彩、糸種を変更することもできる。
【００２４】
このように、本実施の形態にかかる母子間緩衝パット３０を構成する立体編物からなる織布本体１０は、フロント側に位置するフロント生地１と、フロント生地１に対向する反対側に位置するバック側のバック生地２と、フロント生地１とバック生地２との間に織り込まれ、両者間の通気性のある空気層の厚みを形成する連結糸３（Ｙ３，Ｙ４）からなる特定の厚みを有するものである。
また、その模様は、網目模様以外に、市松模様等を凹凸の表面で形成できるし、また、糸種の変更、糸の本数の変更、色の変更によっても、任意の模様を形成できる。
【００２５】
ここでは、糸の太さとして、例えば、地糸Ｙ１，Ｙ５及び地糸Ｙ２，Ｙ６としては２０〜５００デニール、連結糸３（Ｙ３，Ｙ４）としては３０デニール〜２０００デニールである。地糸Ｙ１，Ｙ２，Ｙ５，Ｙ６としてスパンテックス弾性糸（ポリウレタン弾性糸）を芯にしてナイロン糸等をそれに巻き付けたカバーリング弾性糸であれば、６０〜５００デニールの使用が可能であり、非カバーリング弾性糸であれば、２０デニール〜３５０デニールの使用が可能である。しかし、本発明を実施する場合には、これに限定されるものではない。
なお、連結糸３（Ｙ３，Ｙ４）からなる特定の厚みは、使用しない状態で連結糸３（Ｙ３，Ｙ４）が彎曲状態で、外力が加わってときには、その彎曲度を大きくするように構成するとソフトな使用感が得られる。
【００２６】
本実施の形態の立体編物からなる織布本体１０は、図６及び図７に示すように、全体略長方形の角を面取りした形状に裁断されている。また、上下の長さは、平均的な幼児の胴体の長さよりも若干長く形成され、幅も平均的な幼児の胴体の幅よりも若干幅広に形成されている。特に、下の２か所の角１１，１２は単純にＲ（半径）２〜１０ｃｍで面取りしている。
上の２か所の角１３，１４は延びるように引き上げた延出部１３ａ，１４ａの先端部分をＲ（半径）２〜５ｃｍで面取りしている。
【００２７】
また、織布本体１０の上方の２か所の角１３と角１４の間は、その上部中央が下方向に彎曲した彎曲部１５を有している。即ち、本実施の形態の母子間緩衝パット３０を取り付けた母親の胸元またはうなじ等の襟首に、当該母子間緩衝パット３０の一部が接触しないようにしている。特に、母親が使用した場合には、上部中央が下方向に彎曲した彎曲部１５を有していても、バストの膨らみによって略水平状となる。ここでは、織布本体１０の上方の上部中央が下方向に彎曲した彎曲部１５は、弧状となっているが、略Ｖ字状または略Ｕ字状とすることができる。
【００２８】
また、本実施の形態の織布本体１０の幅方向の中央の上下方向において、上側４割には、肌触りのよい生地１６を覆っており、織布本体１０に縫い付けられている。当該肌触りのよい生地１６は、幼児を抱いた時、顔の一部または顎付近が母子間緩衝パット３０の面に接触することのないようにしている。
本実施の形態では、一方の面の上方の４割の面を他の肌触りのよい生地１６で覆ったものであるが、本発明を実施する場合には、一方の面の全面を他の肌触りのよい生地１６またはソフト感のある生地で覆うことができる。また、母子間緩衝パット３０の取り付け位置によっては、一方の面の１／３〜３／３の面を他の任意の生地で覆うこともできる。この生地は、特別に肌触りのよい生地１６に限られるものではない。幼児側または母親側の肌触り感を任意に設定でき、かつ、断熱性をよくすることができる。殊に、一方の面の１／３〜３／３の面を他の生地として吸湿性の生地としても、織布本体１０の他の部分が通気性を有しているから、性能を低下させることがない。特に、吸湿性の生地の裏面が新鮮な空気の空気層となるので特性が長時間維持される。なお、肌触りのよい生地１６を一方の面の全面より少なくするときには、パイピング１７以外の場所の織布本体１０に縫い付けられる。
【００２９】
本実施の形態の織布本体１０は、その全外周と共に、肌触りのよい生地１６を同時にパイピング処理によって、縫い付けたものである。このパイピング１７は、織布本体１０の全周をパイピング処理によって、縫い付けて、そのほつれを防止すると共に、フロント生地１及びバック生地２及び連結糸３（Ｙ３，Ｙ４）との一体感を得て、機械的強度を上げている。特に、織布本体１０に対して肌触りのよい生地１６を同時にパイピング処理することによって、肌触りのよい生地１６との間も一体感を持たせている。
なお、肌触りのよい生地１６の織布本体１０の外周に位置しない個所は、肌触りのよい生地１６自体を折り曲げて重ね合わせ、それを織布本体１０に２重に縫い付けている。
【００３０】
また、織布本体１０の上の延出部１３ａと延出部１４ａの先端部分の２か所の面取りした角１３，１４には、紐状体２１，２２として幅３〜１０ｃｍ程度の平ゴムの端部を縫い付けている。平ゴムの端部の縫い付けは、織布本体１０に対してパイピング処理したパイピング１７に直接縫い付けている。即ち、肌触りのよい生地１６は織布本体１０にパイピング処理によって縁飾りとしてのパイピング１７を縫い付けている。同時に、紐状体２１，２２としての平ゴムの端部を縫い付けることができるが、平ゴムの端部を折り曲げて２重にした状態で、縁飾りとしてのパイピング１７の上に重ねて縫い合わせた方が、機械的に強く接合された。
勿論、パイピング１７の下（肌触りのよい生地１６、織布本体１０）側に紐状体２１，２２としての平ゴムの端部を入れておき、縫い合わせをした後に、露出している紐状体２１、２２の端部を並行して縫い合わせてもよい。織布本体１０に対して上部約１／２に肌触りのよい生地１６を被せた場合にも、図６の実施の形態では、肌触りのよい生地１６の下端にパイピング１８を配置し、それを織布本体１０に縫付けたものである。
【００３１】
また、紐状体２１，２２としての平ゴムの他端部は、織布本体１０の上下の略中央のパイピング１７の上に端部２１ａ,２１ｂまたは端部２２ａ,２２ｂを縫い付けている。なお、端部２１ａ,２１ｂと端部２２ａ,２２ｂの縫い付けは、２本以上の縫い目列としている。このとき、紐状体２１，２２としての平ゴムの長さは、親が紐状体２１，２２としての平ゴムを肩に通したとき、弾性力が働き、胸に当たる程度の長さに設定される。特に、強く弾性力が働く必要はない。即ち、紐状体２１，２２としての平ゴムが両肩に作用するから、本実施の形態の母子間緩衝パット３０の自由度は極僅かである。若干弾性を持たせているのは、母親の着用している衣類がずれないようにするためである。即ち、本実施の形態で使用している平ゴムは、弾性のない紐状態とすることもできる。或いは、弾性のないまたは弾性を有するベルトとそれを接続するバックルとすることができる。
【００３２】
本実施の形態の母子間緩衝パット３０は、図８に示すように使用される。
まず、織布本体１０の上下の略中央のパイピング１７の上に縫い付けている紐状体２１，２２を、肩から脇に掛けて取り付けを行う。肩幅と紐状体２１，２２の長さによって、親の胸元に本実施の形態の母子間緩衝パット３０が位置し、しかも、腕の動きには母子間緩衝パット３０の位置が殆ど影響されず、安定した位置を保持できるから、親の着衣に皺を寄せることがない。また、親と幼児との間の密着度によって、母子間緩衝パット３０の織布本体１０の体積が変化し、内部の空気を放出したり、外気を吸引したりするから、母子間緩衝パット３０の温度が安定し、その湿気についても高くならない。
【００３３】
特に、このように構成された本実施の形態の母子間緩衝パット３０は、紐状体２１，２２の位置におんぶ紐、抱っこ紐のベルト４１の下部に位置し、外部から見えにくくなる。しかし、母子間緩衝パット３０の織布本体１０の面の一部が露出し、親と幼児との間の密着度によって、母子間緩衝パット３０の織布本体１０の体積が変化し、内部の空気を放出したり、外気を吸引したりするから、母子間緩衝パット３０の温度が安定し、その湿気についても高くならない。
【００３４】
［実施の形態２］
図９は実施の形態２の母子間緩衝パット３０の全体表面構成であり、実施の形態１との相違点は、織布本体１０の表裏が肌触りのよい生地１６等を重ね合わせていないことであり、全面ネット地１９となっている。他の構成は実施の形態１と同じであるから、その説明を省略する。
本実施の形態２とは逆に、織布本体１０の表裏に肌触りのよい生地１６を設けることもできる。
【００３５】
このように、本実施の形態２の母子間緩衝パット３０は、フロント側に位置するフロント生地１と、フロント生地１に対向する反対側に位置するバック側のバック生地２と、フロント生地１とバック生地２との間に織り込まれ、両者間の空気層の厚みを形成する連結糸３（Ｙ３，Ｙ４）からなる特定の厚みを有する織布本体１０と、織布本体１０の全外周をパイピング処理したパイピング１７からなる縁飾りと、織布本体１０の上部のパイピング処理したパイピング１７からなる縁飾りに一端を縫い付け、その中央の下部のパイピング処理したパイピング１７からなる縁飾りに他端を縫い付けた所定長の紐状体２１,２２としての平ゴムとを具備するものである。
【００３６】
したがって、フロント側に位置するフロント生地１とフロント生地１に対向する反対側に位置するバック側のバック生地２との間に織り込まれ、両者間の空気層の厚みを形成する連結糸３（Ｙ３,Ｙ４）からなる特定の厚みを有する織布本体１０と、織布本体１０の全外周をパイピング処理してなるパイピング１７からなる縁飾りと、織布本体１０の上部のパイピング処理したパイピング１７からなる縁飾りに所定長の紐状体２１,２２の一端を縫い付け、その中央の下部のパイピング処理したパイピング１７からなる縁飾りに所定長の紐状体２１,２２の他端を縫い付けたものである。
【００３７】
故に、織布本体１０が全体で空気層を保ち、フロント生地１とバック生地２との間に織り込まれた連結糸３（Ｙ３，Ｙ４）によって空気層内で対流を生じさせないので、断熱効果が高く、かつ、その容積が大きいことから、長時間断熱作用を維持できる。また、汗等の湿気の発生に対しても、それを収容できる容積を有しているから、幼児を抱いた時、幼児をおんぶした時にも、ベトベト感が生じない。また、幼児を抱いている時、おんぶしている時に体形が変化しても、織布本体１０の変化によって追随できるから違和感が生じない。また、母親の衣類に体温によるしわが入るのを防止できる。そればかりか、体形を変化させた際の母子間緩衝パット３０の織布本体１０の変形が、織布本体１０で保持していた空気を外部に放出したり、吸収したりするので、常に、温度、湿度が上昇しないで維持される。
よって、幼児を抱いた時、幼児をおんぶした時にも、幼児との間に違和感が生ぜず、かつ、長時間断熱作用を維持し、かつ、湿気の上昇を防止できる。
【００３８】
［実施の形態３］
図１０は実施の形態３の母子間緩衝パット３０の全体表面構成であり、実施の形態１または実施の形態２との相違点は、紐状体２１,２２としての平ゴムに代えて、ベルト２１Ａ及びバックル接続具２３Ａ並びにべルト２２Ａ及びバックル接続具２４Ａを設けた点にある。また、織布本体１０は芯材によって形状を維持できる程度の強さに設定されている。他の構成は実施の形態１と同じであるから、その説明を省略する。
本実施の形態１、本実施の形態２で触れた織布本体１０の表裏に肌触りのよい生地１６を設けることもできる。
【００３９】
このように、本実施の形態３の母子間緩衝パット３０は、フロント側に位置するフロント生地１と、フロント生地１に対向する反対側に位置するバック側のバック生地２と、フロント生地１とバック生地２との間に織り込まれ、両者間の空気層の厚みを形成する連結糸３（Ｙ３，Ｙ４）からなる特定の厚みを有する織布本体１０と、織布本体１０の全外周をパイピング処理したパイピング１７からなる縁飾りと、織布本体１０の上部のパイピング処理したパイピング１７からなる縁飾りに一端を縫い付け、その中央の下部のパイピング処理したパイピング１７からなる縁飾りに他端を縫い付けた所定長の紐状体としてのベルト２１Ａ及びバックル接続具２３Ａ並びにべルト２２Ａ及びバックル接続具２４Ａとを具備するものである。
【００４０】
したがって、フロント側に位置するフロント生地１とフロント生地１に対向する反対側に位置するバック側のバック生地２との間に織り込まれ、両者間の空気層の厚みを形成する連結糸３（Ｙ３,Ｙ４）からなる特定の厚みを有する織布本体１０と、織布本体１０の全外周をパイピング処理してなるパイピング１７からなる縁飾りと、織布本体１０の上部のパイピング処理したパイピング１７からなる縁飾りに所定長の紐状体としてのベルト２１Ａ及びべルト２２Ａの一端を縫い付け、その中央を織布本体１０に縫い付けたものである。
【００４１】
織布本体１０は、その中央に図示しない芯を入れてあるか、またはそれだけ腰のある糸で全体を形成したものであるから、全体で形状を保持できるから、ベルト２１Ａの端部のバックル接続具２３Ａと、べルト２２Ａの端部のバックル接続具２４Ａとを親の胸部で係合させることによって簡単に取り付けができる。
なお、本実施の形態においては、ベルト２１Ａ及びべルト２２Ａとしては、胸部において３〜１０ｃｍ程度伸びる弾性を有する材料が好適である。
【００４２】
故に、織布本体１０が全体で空気層を保ち、しかも、その形状を保持できるから、フロント生地１とバック生地２との間に織り込まれた連結糸３（Ｙ３，Ｙ４）によって空気層内で対流を生じさせないので、断熱効果が高く、かつ、その容積が大きいことから、長時間断熱作用を維持できる。また、汗等の湿気の発生に対しても、それを収容できる容積を有しているから、幼児を抱いた時、幼児をおんぶした時にも、ベトベト感が生じない。また、幼児を抱いている時、おんぶしている時に体形が変化しても、織布本体１０の変化によって追随できるから違和感が生じない。また、母親の衣類に体温によるしわが入るのを防止できる。そればかりか、体形を変化させた際の母子間緩衝パット３０の織布本体１０の変形が、織布本体１０で保持していた空気を外部に放出したり、吸収したりするので、常に、温度、湿度が上昇しないで維持される。
よって、幼児を抱いた時、幼児をおんぶした時にも、幼児との間に違和感が生ぜず、かつ、長時間断熱作用を維持し、かつ、湿気の上昇を防止できる。
【００４３】
このように本実施の形態の母子間緩衝パット３０は、通気性及び伸縮性があり、織布本体１０に対して空気を吸引、放出することができるから、例えば、母親と幼児の体の間に母子間緩衝パット３０を介在させておんぶまたは抱っこをする場合、母親と幼児の体の間に実質的な接触面積が減り、織布本体１０による空間が形成され、空気の移動が可能になる。したがって、暑さを緩和し、むれも著しく軽減するから汗疹の発生が防止できる。
また、本実施の形態の母子間緩衝パット３０は、フロント生地１及び／またはバック生地２に段差または模様を形成したり、ネットを形成したりすることにより、幼児に接触する表面からの吸湿性を上げることができる。
【００４４】
上記実施の形態において、所定長の紐状体２１,２２は、肩紐として平ゴムとしたものであるから、幼児を抱いたり、おんぶしたりする母親の体形に従って取り付けが変化でき、織布本体１０の変化によって違和感がない。
上記所定長の紐状体２１,２２は、織布本体１０の上部のパイピング処理した縁飾りとしてのパイピング１７に一端を、その中央の下部のパイピング１７に他端を縫い付けたもので、その間にバックル接続具を有するか、または有しない２本の紐またはベルト、１本の平ゴムまたは丸ゴム等とすることができる。
或いは、ベルト２１Ａの端部のバックル接続具２３Ａと、べルト２２Ａの端部のバックル接続具２４Ａとを親の胸部で係合させることによって簡単に取付けができる構造とすることもできる。
【００４５】
上記実施の形態において、織布本体１０は、一方の面の１／３〜３／３の面を他の生地、即ち、例えば、肌触りのよい生地１６で覆い、織布本体１０の全外周と共に当該肌触りのよい生地１６をパイピング処理したものである。したがって、幼児または母親の肌触り感を任意に設定でき、かつ、断熱性をよくすることができる。
また、むれ防止のために幼児側裏面に吸湿性の材料の生地を一体に設けてもよい。この場合には幼児の発汗に対応できる。
【００４６】
なお、織布本体１０と肌触りのよい生地１６の占めるハニカム状のネット生地の表面面積の割合は、デザイン的に決定してもよいし、乳幼児の体形のシルエットラインよりも肌触りのよい生地１６を広く決定してもよい。また、上記実施の形態では、肌触りのよい生地１６として表現してきたが、本発明を実施する場合には、肌触りのよい生地に限定されるものではなく、デザイン的または機械的強度的に材料を選択してもよい。両面を被覆する場合には、通気性を維持できるものでないとならないが、他の個所で通気性を確保している場合には、通気性のない生地とすることもできる。
【００４７】
また、上記実施の形態では、肌触りのよい生地として表現してきたが、本発明を実施する場合には、肌触りのよい生地に限定されるものではなく、刺激性のない生地及び肌触りのよい生地でも、デザイン的または機械的強度的に材料を選択してもよい。両面を被覆する場合には、通気性を維持できるものとする必要があるが、他の個所で通気性を確保している場合には、通気性のない生地とすることもできる。
【００４８】
勿論、織布本体１０の親側の面のみではなく、その表裏に刺激性のない生地、肌触りのよい生地の占める表面面積の割合は、デザイン的または機械的強度的に材料を選択してもよい。しかし、織布本体１０の親側の面及びその反対側の面について、全面を被覆する場合には、通気性を維持できるものとする必要がある。
本発明を実施する場合のネットは、織布本体１０の表裏をハニカム状とするのが望ましいが、５角形、４画径のネット生地とすることもできる。また、このネット生地の面に被覆地を被せるのではなくて、ネット生地に他の生地を接続して繋いだ状態とすることもできる。
【００４９】
上記実施の形態において、織布本体１０は、表裏が所定のネットで形成されているものであれば、幼児を抱いたり、おんぶしたりする母親の体形、動作に従って空気の出入りを決定する流体抵抗を任意に設定できる。また、表裏のデザインを任意の形状とすることができる。
【００５０】
上記実施の形態において、織布本体１０は、その上部中央が下方向に彎曲した部分を有し、それを襟の前側の中央を下方に彎曲させるように位置付けているから、親の着衣のデザインを拘束するものがない。
【符号の説明】
【００５１】
１      フロント生地
２      バック生地
１０    織布本体
１１，１２    下方の角
１３，１４    上方の角
１５    彎曲部
１６    肌触りのよい生地
１７    パイピング
２１，２２    紐状体
２１Ａ、２２Ａ    ベルト
Ｙ１，Ｙ２、Ｙ５，Ｙ６    地糸
３，Ｙ３，Ｙ４    連結糸
３０    母子間緩衝パット
【図１】
2012110417.tif 000003
【図２】
2012110417.tif 000004
【図３】
2012110417.tif 000005
【図４】
2012110417.tif 000006
【図５】
2012110417.tif 000007
【図６】
2012110417.tif 000008
【図７】
2012110417.tif 000009
【図８】
2012110417.tif 000010
【図９】
2012110417.tif 000011
【図１０】
2012110417.tif 000012